Podtech/llm-jp-corpus-v4-ja_patent huggingface dataset:
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
表１、７〜１０及び図２及び３のいずれかに記載の少なくとも１個のエピトープを含む生物試料の多数のクラスを識別するための一組の有用な（informative）エピトープであって、各々の有用なエピトープの自己抗体結合活性は独立に、多数の特定のクラスの別の１つに特徴的な試料におけるよりも、多数の特定のクラスの１つに特徴的な試料において高い、前記エピトープ。
【請求項２】
表１、７〜１０及び図２及び３のいずれかに記載の少なくとも２個のエピトープを含む、請求項１記載の一組の有用なエピトープ。
【請求項３】
表１、７〜１０及び図２及び３のいずれかに記載の少なくとも５個のエピトープを含む、請求項１記載の一組の有用なエピトープ。
【請求項４】
表１、７〜１０及び図２及び３のいずれかに記載の少なくとも１０個のエピトープを含む、請求項１記載の一組の有用なエピトープ。
【請求項５】
表１、７〜１０及び図２及び３のいずれかに記載の少なくとも１５個のエピトープを含む、請求項１記載の一組の有用なエピトープ。
【請求項６】
表１、７〜１０及び図２及び３のいずれかに記載の少なくとも２５個のエピトープを含む、請求項１記載の一組の有用なエピトープ。
【請求項７】
表１、７〜１０及び図２及び３のいずれかに記載の少なくとも５０個のエピトープを含む、請求項１記載の一組の有用なエピトープ。
【請求項８】
少なくとも２個の有用なエピトープが、単一タンパク質の識別可能な領域に対応する、請求項１〜７のいずれか１項記載の一組の有用なエピトープ。
【請求項９】
少なくとも２個の有用なエピトープが、単一タンパク質内の非-重複配列に対応する、請求項８記載の一組の有用なエピトープ。
【請求項１０】
疾患クラスと非-疾患クラスとを識別することができ、該疾患クラスが癌である、請求項１〜９のいずれか１項記載の一組の有用なエピトープ。
【請求項１１】
前記の少なくとも１個の有用なエピトープの自己抗体結合活性が、疾患クラスにおけるよりも非-疾患クラスにおいて高い、請求項１０記載の一組の有用なエピトープ。
【請求項１２】
腫瘍段階を識別することができる、請求項１０記載の一組の有用なエピトープ。
【請求項１３】
前記疾患クラスが肺癌である、請求項１０記載の一組の有用なエピトープ。
【請求項１４】
表２に記載の５１個のエピトープを含む、請求項１３記載の一組の有用なエピトープ。
【請求項１５】
表２に記載の、エピトープＴＲＰ−２／４、ＨＡＧＨＬ−２３７、ＩＱＷＤ１−３１５、ＫＩＡＡ０３７３−１１０７、ＫＩＡＡ０３７３−１１９３、ＬＯＣ４０１１９３−１５６、ＭＳＬＮ−１８６、ＮＡＣＡ−２６１、ＮＩＳＣＨ−８０５、ＮＩＳＣＨ−１２７１、ＮＩＳＣＨ−１１０５、ＲＢＭＳ１−１０８、ＲＯＣＫ２−１２９６、ＳＤＣＣＡＧ３−２５５、ＳＤＣＣＡＧ８−８１５、ＴＰ５３−１７１、ＵＴＰ１４Ａ−８１８、ＵＴＰ１４Ａ−１８２、ＺＮＦ２９２−３４１５、ＺＮＦ２９２−１６１２、ＺＮＦ２９２−３１５４、ＭＥＬＫ−２４１、ＮＦＲＫＢ−１５７５、ＡＡＲＳ−１０１７、ＡＣＡＴ２−４８８、ＣＴＴＮＢＰ２−２５４、ＤＤＸ５−１９０、ＤＮＡＪＡ１−２１，ＤＮＭ１Ｌ−３、ＤＲＣＴＮＮＢ１Ａ−５８８、ＥＬＫＳ−２４１、ＧＯＬＧＡ２−１０６１、ＩＱＷＤ１−５７５、ＬＩＭＳ１−１８２、ＬＭＮＡ−４１７、ＭＫＲＮ１−４８３、ＮＡＰ１Ｌ３−１４５、ＲＢＭ２５−９７８、ＲＢＰＳＵＨ−３５０、ＲＢＰＳＵＨ−２３６、ＳＤＣＣＡＧ１−２３２、ＳＲ−Ａ１−１１２６、及びＮＹ−ＥＳＯ−１／２を含む、請求項１３記載の一組の有用なエピトープ。
【請求項１６】
表２に記載の、エピトープＩＱＷＤ１−３１５、ＫＩＡＡ０３７３−１１０７、ＮＩＳＣＨ−８０５、ＮＩＳＣＨ−１１０５、ＲＢＭＳ１−１０８、ＵＴＰ１４Ａ−１８２、ＺＮＦ２９２−１６１２、ＮＦＲＫＢ−１５７５、ＧＯＬＧＡ２−１０６１、ＩＱＷＤ１−５７５、ＬＭＮＡ−４１７、ＮＡＰ１Ｌ３−１４５、及びＲＢＭ２５−９７８を含む、請求項１３記載の一組の有用なエピトープ。
【請求項１７】
表２に記載の、エピトープＩＱＷＤ１−３１５、ＮＩＳＣＨ−１１０５、ＲＢＭＳ１−１０８、ＺＮＦ２９２−１６１２、ＣＴＴＮＢＰ２−２５４、ＤＤＸ５−１９０、ＥＬＫＳ−２４１、ＲＢＰＳＵＨ−３５０、及びＲＢＰＳＵＨ−２３６を含む、請求項１３記載の一組の有用なエピトープ。
【請求項１８】
表２に記載の、エピトープＩＱＷＤ１−３１５、ＫＩＡＡ０３７３−１１０７、ＫＩＡＡ０３７３−１１９３、ＮＩＳＣＨ−８０５、ＮＩＳＣＨ−１１０５、ＲＢＭＳ１−１０８、ＺＮＦ２９２−１６１２、ＬＭＮＡ−４１７、及びＲＢＰＳＵＨ−２３６を含む、請求項１３記載の一組の有用なエピトープ。
【請求項１９】
表１１に記載の２５個のエピトープを含む、請求項１３記載の一組の有用なエピトープ。
【請求項２０】
図３に記載の２８個のエピトープを含む、請求項１３記載の一組の有用なエピトープ。
【請求項２１】
非−小細胞肺癌（ＮＳＣＬＣ）と小細胞肺癌（ＳＣＬＣ）とを識別することができる、請求項１〜２０のいずれか１項記載の一組の有用なエピトープ。
【請求項２２】
前記疾患クラスが、乳癌である、請求項１０記載の一組の有用なエピトープ。
【請求項２３】
図２に記載の２７個のエピトープを含む、請求項２２記載の一組の有用なエピトープ。
【請求項２４】
請求項１〜２１のいずれか１項記載の一組の有用なエピトープを使用する、患者試料における自己結合抗体を検出することを含む、肺癌の診断方法。
【請求項２５】
請求項１〜１２、２２及び２３のいずれか１項記載の一組の有用なエピトープを使用する、患者試料における自己結合抗体を検出することを含む、乳癌の診断方法。
【請求項２６】
請求項１２に記載の一組の有用なエピトープを使用する、患者試料における自己結合抗体を検出することを含む、癌予後診断の決定方法。
【請求項２７】
前記の一組の有用なエピトープがエピトープマイクロアレイ上に存在する、請求項２４〜２６のいずれか１項記載の方法。
【請求項２８】
請求項１〜２３のいずれか１項記載の一組の有用なエピトープを含む、エピトープマイクロアレイ。
【手続補正書】
【提出日】平成21年1月15日(2009.1.15)
【手続補正１】
【補正対象書類名】明細書
【補正対象項目名】０００６
【補正方法】変更
【補正の内容】
【０００６】
とりわけ（この場合にも膜として形成されている）弾性体の組付けに関する比較的コストのかかる構造並びにセンサ機構の素子相互間の調整が上記解決方法の短所である。
【特許文献１】DE 36 27 127 A1
【特許文献２】DE 41 32 108 A1
【特許文献３】DE 103 25 390 A1
【特許文献４】DE 199 18 200 A1
【特許文献５】EP 0 199 067 A
【特許文献６】US 5,339,699
【特許文献７】US 5,565,632
【特許文献８】US 2006/0090566 A1
【特許文献９】US 2007/0028703 A1
【特許文献１０】JP 2001-133335
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
ポリマーマトリックスと、
前記ポリマーマトリックス内に配置された複数のポリマー繊維であって、前記ポリマー繊維の少なくとも１つが、光を反射するための多数の複屈折性界面を含み、前記複屈折性界面が、第１のポリマー材料と第２のポリマー材料との間に形成され、前記第１および第２のポリマー材料の少なくとも１つが複屈折性であり、前記複屈折性界面が、前記ポリマー繊維の少なくとも１つの内部にあり、前記少なくとも１つのポリマー繊維の軸に沿って細長く、前記ポリマー繊維が、第１の軸に実質的に平行に配向され、前記第１の軸に平行に偏光された光の前記複屈折性界面における屈折率差が、第２の軸に平行に偏光された光の前記複屈折性界面における屈折率差と異なり、前記第２の軸が前記第１の軸に直交する、複数のポリマー繊維と
を含む光学体。
【請求項２】
前記ポリマーマトリックスが、少なくとも１つの構造化表面を有する層として形成される、請求項１に記載の光学体。
【請求項３】
光学体であって、
第１の軸に沿った第１の屈折率ｎx、および前記第１の軸に垂直な第２の軸に沿った第２の屈折率ｎyを有する光学材料と、
前記第１の軸に平行に前記光学材料内に配置された細長いポリマー繊維であって、前記ポリマー繊維が、前記第１の軸に沿って細長く、かつ、前記第１の軸に沿った屈折率ｎ1x、および前記第２の軸に沿った屈折率ｎ1yを有する第１の複屈折性材料を含み、ｎ1xがｎ1yと異なり、前記細長いポリマー繊維が、前記第１の軸に沿って細長く、かつ、前記第１の軸に沿った屈折率ｎ2x、および前記第２の軸に沿った屈折率ｎ2yを有する第２の材料を含み、前記光学体が、前記第１の軸に沿って偏光された入射光を、前記第２の軸に沿って偏光された入射光と異なって散乱させる、細長いポリマー繊維とを含む光学体。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
ポリマーマトリックスと、
前記ポリマーマトリックス内に配置されたポリマー散乱ファイバの配列とを含むフォトニック結晶光学体であって、
前記散乱ファイバは、第１の軸と実質的に平行であり、前記第１の軸と実質的に直交する方向で前記ポリマーマトリックス上に入射する光に対して二次元フォトニック結晶構造を形成するように、前記配列中の散乱ファイバの位置が前記ポリマーマトリックスの一断面にわたって選択される、フォトニック結晶光学体。
【請求項２】
前記散乱ファイバが第１のポリマーで形成され、前記マトリックスが第２のポリマーで形成され、前記第１および第２のポリマーの少なくとも１つは複屈折である、請求項１に記載の光学体。
【請求項３】
ポリマーマトリックス内にポリマー散乱ファイバの配列を含み、前記散乱ファイバが第１の軸と実質的に平行であるフォトニック結晶と、
前記第１の軸と直交する方向で前記フォトニック結晶に入射する光ビームを発生するよう配置され構成された光源とを含む、光学系。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
ポリマー充填剤内に配置されたポリマー散乱繊維を含む複合ポリマー繊維を含むフォトニック結晶繊維デバイスであって、前記ポリマー散乱繊維が、前記ポリマー充填剤の屈折率と異なる屈折率を有し、前記散乱繊維が、前記複合ポリマー繊維に対して横方向から入射する光に所望のスペクトル効果を与えるように選択されたフォトニック結晶配列で、前記ポリマー繊維にわたる断面において配列されるデバイス。
【請求項２】
ポリマーマトリックスと、
前記ポリマーマトリックス内に配置された複合ポリマー繊維であって、前記複合ポリマー繊維が、ポリマー充填剤内に配置されたポリマー散乱繊維を含み、前記ポリマー散乱繊維が、前記ポリマー充填剤の屈折率と異なる屈折率を有し、少なくとも１つの複合繊維内の前記散乱繊維が、前記少なくとも１つの複合繊維に横方向に入射する光に所望のスペクトル効果を与えるように選択されたフォトニック結晶配列で、前記少なくとも１つの複合繊維にわたる断面において配列される、複合ポリマー繊維とを含むフォトニック結晶繊維デバイス。
【請求項３】
前記ポリマーマトリックスが構造化表面を含む、請求項２に記載のデバイス。
【手続補正２】
【補正対象書類名】明細書
【補正対象項目名】０１１４
【補正方法】変更
【補正の内容】
【０１１４】
本発明は、上述された特定の実施例に限定されるとみなされるべきではないが、むしろ、特許請求の範囲に適切に記載されたような本発明の態様をすべて包含するものと理解されるべきである。本発明が適用可能であろうさまざまな変更例、均等なプロセス、および多数の構造は、本明細書を検討すると、本発明が関連する技術における当業者には容易に明らかであろう。特許請求の範囲は、そのような変更例およびデバイスを包含することが意図される。
本発明に関連する発明の実施形態について、以下に列挙する。
［実施形態１］
ポリマー充填剤内に配置されたポリマー散乱繊維を含む複合ポリマー繊維を含むフォトニック結晶繊維デバイスであって、前記ポリマー散乱繊維が、前記ポリマー充填剤の屈折率と異なる屈折率を有し、前記散乱繊維が、前記複合ポリマー繊維に対して横方向から入射する光に所望のスペクトル効果を与えるように選択されたフォトニック結晶配列で、前記ポリマー繊維にわたる断面において配列されるデバイス。
［実施形態２］
前記ポリマー充填剤および前記散乱繊維の少なくとも一方が、複屈折性ポリマー材料を含む、実施形態１に記載のデバイス。
［実施形態３］
前記散乱繊維の総断面積が、前記複合繊維の断面積の約２０％〜９５％の面積を占める、実施形態１に記載のデバイス。
［実施形態４］
前記散乱繊維の総断面積が、前記複合繊維の断面積の約４０％〜９０％の面積を占める、実施形態１に記載のデバイス。
［実施形態５］
前記散乱繊維の総断面積が、前記複合繊維の断面積の約５０％〜９０％の面積を占める、実施形態１に記載のデバイス。
［実施形態６］
ポリマーマトリックスと、
前記ポリマーマトリックス内に配置された複合ポリマー繊維であって、前記複合ポリマー繊維が、ポリマー充填剤内に配置されたポリマー散乱繊維を含み、前記ポリマー散乱繊維が、前記ポリマー充填剤の屈折率と異なる屈折率を有し、少なくとも１つの複合繊維内の前記散乱繊維が、前記少なくとも１つの複合繊維に横方向に入射する光に所望のスペクトル効果を与えるように選択されたフォトニック結晶配列で、前記少なくとも１つの複合繊維にわたる断面において配列される、複合ポリマー繊維とを含むフォトニック結晶繊維デバイス。
［実施形態７］
前記ポリマー充填剤および前記散乱繊維の少なくとも一方が、複屈折性ポリマー材料を含む、実施形態６に記載のデバイス。
［実施形態８］
前記少なくとも１つの複合繊維を横方向から照明するように配列された光源をさらに含む、実施形態６に記載のデバイス。
［実施形態９］
前記ポリマーマトリックスが構造化表面を含む、実施形態６に記載のデバイス。
［実施形態１０］
前記構造化表面が、前記構造化表面を通過する光に屈折力を与える、実施形態９に記載のデバイス。
［実施形態１１］
前記構造化表面が輝度向上表面構造を含む、実施形態９に記載のデバイス。
［実施形態１２］
前記散乱繊維の少なくともいくつかが、約５０ｎｍ〜約５００ｎｍの範囲内の断面寸法を有する、実施形態６に記載のデバイス。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
光学体を形成する方法であって：
ポリマーマトリックス内でポリマー散乱ファイバを共押出して光学体を形成するステップを含み、前記散乱ファイバは第１の軸と実質的に平行であり、前記第１の軸と実質的に直交する方向で前記光学素子上に横方向に入射する光を散乱させるために、前記散乱ファイバが、ポリマーマトリックスの断面にわたった位置に配列される、方法。
【請求項２】
前記散乱ファイバが第１のポリマーで形成され、前記マトリックスが第２のポリマーで形成され、前記第１および第２のポリマーの少なくとも１つは複屈折であり、前記第１および第２のポリマーの前記複屈折の少なくとも１つを配向させるステップをさらに含む、請求項１に記載の方法。
【請求項３】
ポリマーマトリックスと、
前記ポリマーマトリックス内で共押出されたポリマー散乱ファイバとを含む光学体であって、前記散乱ファイバは第１の軸と実質的に平行であり、前記第１の軸と実質的に直交する方向で光学素子上に横方向に入射する光を散乱させるために、前記散乱ファイバが、前記ポリマーマトリックスの断面にわたった位置に配列されている、光学体。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
各々が端部領域をもつ複数のテスト流路を有する流体ゲート装置であって、装置が少なくとも１つの指示液流路から上流に設けられた液だめまたはサンプル適用領域を備え、液だめまたはサンプル適用領域が少なくとも１つの流動障害により１つまたは複数の指示液流路から分離され、関連するテスト毛細管流動路の端部領域での試液の存在が流動障害を軽減または無くすように流動障害がテスト毛細管流動路の端部領域に動作可能に連結され、それによって液体が液だめまたはサンプル適用領域から流れ出て指示液流路に沿って流れることを可能にする、流体ゲート装置。
【請求項２】
流路が毛細管の寸法のものである、請求項１に記載の流体装置。
【請求項３】
１つまたは複数の指示液流路内の障害が不連続または毛細管の遮断によって生成される、請求項１または２に記載の装置。
【請求項４】
指示液流路内の障害が関連するテスト毛細管流動路のボアによって形成される、請求項３に記載の装置。
【請求項５】
指示液流路が、請求項１に記載の１つまたは複数のさらなる流体装置に流体装置の上流で流体的に連結される、請求項１に記載の流体装置。
【請求項６】
各テスト毛細管流動路がそれぞれの指示液流路とＴ字型接合部を形成する、請求項１から５のいずれか一項に記載の装置。
【請求項７】
指示液が、複数の放出口を有するチャンバまたは貯蔵器内にもたらされまたは存在するようにされ、各放出口が各表示領域につながっているが、各放出口が障害を備え、各障害がテスト毛細管流動路の端部領域に動作可能に連結されている、請求項１から６のいずれか一項に記載の装置。
【請求項８】
テスト毛細管流動路内を流れる試液が指示液流路内を流れる指示液と異なる、請求項１から７のいずれか一項に記載の装置。
【請求項９】
テスト毛細管流動路内を流れる試液が指示液流路内を流れる指示液と同じである、請求項１から７のいずれか一項に記載の装置。
【請求項１０】
試液内の検体の存在および／または数量を検出するようになされかつ配置された、請求項１から９のいずれか一項に記載の装置。
【請求項１１】
テスト毛細管流動路および／または指示液流路が１つまたは複数の試薬を含む、請求項１０に記載の装置。
【請求項１２】
抗体またはその抗原拘束細片を含む、請求項１から１１のいずれか一項に記載の装置。
【請求項１３】
各指示液流路において障害の下流に表示領域を備える、請求項１から１２のいずれか一項に記載の装置。
【請求項１４】
表示領域における指示液の存在が信号、好ましくは可視信号を生成する、請求項１３に記載の装置。
【請求項１５】
信号が色変化である、請求項１４に記載の装置。
【請求項１６】
１つまたは複数の制御流路を備える、請求項１から１５のいずれか一項に記載の装置。
【請求項１７】
液体サンプルをある特徴、特に検体の存在および／または数量について分析する方法であって、請求項１から１６のいずれか一項に記載の装置にサンプルを適用するステップを含む、方法。
【請求項１８】
添付図面を参照して以下に実質的に説明されている装置。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
基板への３次元テクスチャ付与方法であって、
複数のイメージングユニットを有し、そのうちの少なくとも１つのイメージングユニットが前記基板に透明トナーを付与するように構成された電子写真（ＥＰ）プリンタを設け、
前記基板に視覚及び触覚により知覚可能な３次元テクスチャを形成するために十分な量及び十分な空間分布で前記少なくとも１つのイメージングユニットに前記基板に透明トナーを付与させるのに十分なテクスチャデータを有するデジタル情報を、前記電子写真（ＥＰ）プリンタに送り、
前記少なくとも１つのイメージングユニットで前記テクスチャデータに従って前記基板に透明トナーを付与し、これにより、３次元テクスチャを生成することを含む、方法。
【請求項２】
複数のテクスチャパターン候補の中から、前記基板に付与されるべき特定のテクスチャパターンを選択することを含み、前記テクスチャデータは、前記特定のテクスチャパターンに対応する、請求項１に記載の方法。
【請求項３】
前記基板に付与されるべき新たなテクスチャパターンを生成することを含み、前記テクスチャデータは、前記新たなテクスチャパターンに対応し、前記新たなテクスチャパターンは、複数のテクスチャパターン候補の中のものでない、請求項１に記載の方法。
【請求項４】
スキャナ及びディスプレイを有するフロントエンドステーションを含む電子写真（ＥＰ）プリンタシステムであって、
前記フロントエンドステーションは、電子写真（ＥＰ）プリンタに接続され、該電子写真（ＥＰ）プリンタは、複数のイメージングユニットを有し、そのうちの少なくとも１つのイメージングユニットが前記基板に透明トナーを付与するように構成され、
前記フロントエンドステーションは、
カラー文書を走査し、
前記走査された形態の文書の少なくとも一部に付与されることができる複数の所定のテクスチャ候補を提示し、
前記複数の所定のテクスチャ候補の中から選択されたテクスチャに対応する入力を受け、
前記選択されたテクスチャに対応するテクスチャデータであって、前記基板に視覚及び触覚により知覚可能な３次元テクスチャを形成するために十分な量及び十分な空間分布で前記少なくとも１つのイメージングユニットに前記基板に透明トナーを付与させるのに十分なテクスチャデータを含む情報を、前記電子写真（ＥＰ）プリンタに送るように構成される、電子写真（ＥＰ）プリンタシステム。
【請求項５】
基板への３次元テクスチャ付与方法であって、
前記基板に透明トナーを付与するように構成された単一のイメージングユニットを有する電子写真（ＥＰ）プリンタを設け、
前記基板に視覚及び触覚により知覚可能な３次元テクスチャを形成するために十分な量及び十分な空間分布で前記少なくとも１つのイメージングユニットに前記基板に透明トナーを付与させるのに十分なテクスチャデータを含むデジタル情報を、前記電子写真（ＥＰ）プリンタに送り、
前記単一のイメージングユニットで前記テクスチャデータに従って前記基板に透明トナーを付与し、これにより、３次元テクスチャを生成することを含む、方法。
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
フォトレジスト材料の上面に塗布するためのトップコート材料であって、少なくとも１つの溶媒と、アルカリ性水溶液現像液に対して少なくとも３０００Å／秒の溶解速度を有するポリマーとを含むトップコート材料。
【請求項２】
前記ポリマーは、ｎは整数とする次の２つの構造、
【化１】
2008532067.tif 000001
のうちの１つを含むヘキサフルオロアルコールのモノマー・ユニットを含有する、請求項１に記載のトップコート材料。
【請求項３】
前記ポリマーは、ｎを整数とする次の構造、
【化２】
2008532067.tif 000002
を有するヘキサフルオロアルコールのモノマーと、５０モル％までの１つ又は複数のメタクリレート又はアクリレート・コモノマーとを含むコポリマーである、請求項１に記載のトップコート材料。
【請求項４】
前記１つ又は複数のメタクリレート・コモノマーは、メチルメタクリレート、エチルメタクリレート、脂環式メタクリレート、非環式アルキル置換メタクリレート、メタクリル酸、ヒドロキシエチルメタクリレート、ヒドロキシプロピルメタクリレート、ヒドロキシ置換脂環式メタクリレート、及び非環式ヒドロキシアルキル置換メタクリレートから成る群から選択され、アルキル基及び脂環部分は、独立に１個から１２個までの炭素原子を有する、請求項３に記載のトップコート材料。
【請求項５】
前記１つ又は複数のアクリレート・コモノマーは、メチルアクリレート、エチルアクリレート、脂環式アクリレート、非環式アルキル置換アクリレート、アクリル酸、ヒドロキシエチルアクリレート、ヒドロキシプロピルアクリレート、ヒドロキシ置換脂環式アクリレート、及び非環式ヒドロキシアルキル置換アクリレートから成る群から選択され、アルキル基及び脂環部分は、独立に１個から１２個までの炭素原子を有する、請求項３に記載のトップコート材料。
【請求項６】
そこに存在する泡又は小粒子がリソグラフィにより印刷されないように、１ミクロンから１０ミクロンまでの厚さを有する、請求項１に記載のトップコート材料。
【請求項７】
前記少なくとも１つの溶媒は、前記フォトレジスト材料と混和しない、請求項１に記載のトップコート材料。
【請求項８】
前記少なくとも１つの溶媒は、炭化水素アルコールである、請求項１に記載のトップコート材料。
【請求項９】
前記少なくとも１つの溶媒は、１−ブタノール、メタノール、エタノール、１−プロパノール、エチレングリコール、１，２−ブタンジオール、１，３−ブタンジオール、１，４−ブタンジオール、１，２−プロパンジオール、１，３−プロパンジオール、及び４個から８個までの炭素原子を有するその他の炭化水素アルコールから成る群から選択される、請求項１に記載のトップコート材料。
【請求項１０】
前記ポリマーは水に不溶である、請求項１に記載のトップコート材料。
【請求項１１】
前記ポリマーは、下にある前記フォトレジスト材料のための適切な露光放射に対して実質的に光学的に透明である、請求項１に記載のトップコート材料。
【請求項１２】
前記ポリマーは、１．２から１．８までの範囲の屈折率を有する、請求項１に記載のトップコート材料。
【請求項１３】
前記ポリマーは、１．５から１．７までの範囲の屈折率を有する、請求項１に記載のトップコート材料。
【請求項１４】
前記ポリマーは、３Ｋダルトンから５００Ｋダルトンまでの範囲の調節可能な分子量を有する、請求項１に記載のトップコート材料。
【請求項１５】
前記ポリマーは、前記フォトレジストの処理温度に等しいか又はそれより高いＴｇを有する、請求項１に記載のトップコート材料。
【請求項１６】
前記ポリマーは、１３０℃の又はそれより高いＴｇを有する、請求項１に記載のトップコート材料。
【請求項１７】
基板上にパターン付けされた材料層を形成する方法であって、
表面上に材料層を有する基板を準備するステップと、
前記基板上にフォトレジスト組成物を堆積させて前記材料層上にフォトレジスト層を形成するステップと、
前記フォトレジスト層上にトップコート材料を塗布してコーティングされた基板を形成するステップであって、前記トップコート材料は、ｎを整数とする次の２つの構造、
【化３】
2008532067.tif 000003
の内の１つを含むヘキサフルオロアルコールのモノマー・ユニットを含有するポリマーを含む、ステップと、
前記コーティングされた基板を画像形成用放射でパターン状に露光するステップと、
前記コーティングされた基板をアルカリ性水溶液現像液と接触させるステップであって、前記トップコート材料及び前記フォトレジスト層の一部分は、前記コーティングされた基板から同時に除去されてパターン付けされたフォトレジスト層を前記材料層上に形成する、ステップと、
前記フォトレジスト層の前記パターンを前記材料層に転写するステップと
を含む方法。
【請求項１８】
前記トップコート材料及び前記フォトレジスト層の一部分は、前記レジスト層をアルカリ性水溶液現像液と接触させることによって除去される、請求項１７に記載の方法。
【請求項１９】
前記アルカリ性水溶液現像液は、０．２６３Ｎのテトラメチルアンモニウムヒドロキシドである、請求項１７に記載の方法。
【請求項２０】
前記材料層は、セラミック、誘電体、金属及び半導体層から成る群から選択される、請求項１７に記載の方法。
【請求項２１】
前記画像形成用放射は１９３ｎｍ放射、１５７ｎｍ放射、及び２４８ｎｍ放射から成る群から選択される、請求項１７に記載の方法。
【請求項２２】
前記コーティングされた基板を画像形成用放射でパターン状に露光する前に、画像形成媒体を前記コーティングされた基板に塗布するステップをさらに含む、請求項１７に記載の方法。
【請求項２３】
前記画像形成媒体は水である、請求項２２に記載の方法。
【請求項２４】
前記フォトレジスト層の前記パターンは、前記パターン付けされたフォトレジスト層で覆われていない前記材料層の一部分を除去することによって、前記材料層に転写される、請求項１７に記載の方法。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
レシーバ上にマルチカラー画像を形成する方法であって、
レシーバ上にマルチカラートナー画像を形成するため、前記レシーバ上の異なるピクセル位置に様々なカラーの組み合わせを形成する少なくとも３色のトナー着色のトナーによって前記レシーバ上にマルチカラートナー画像を形成するステップと、
前記マルチカラートナー画像上にインバースマスクとして付着されるクリアトナーオーバーコートを形成するステップと、
前記マルチカラートナー画像とクリアトナーオーバーコートを形成するトナーを少なくとも付加するため、前記レシーバに前記マルチカラートナー画像とクリアトナーオーバーコートを先行定着するステップと、
ベルト定着装置を利用して前記クリアトナーオーバーコートを前記レシーバに固定し、及び／又は前記マルチカラートナー画像に改良されたグロスを提供することにより、前記クリアトナーオーバーコートとマルチカラートナー画像を定着するステップと、
を有する方法。
【請求項２】
カラー画像を印刷するシステムであって、
マルチカラー画像を形成するため、1回のパスにおいて通過するレシーバ部材に各自の
カラーセパレーショントナー画像を印加するため、3色以上のカラー印刷ステーションを有するタンデム式カラー静電画像プリンタ装置と、
前記マルチカラー画像を定着する定着ステーションと、
インバースマスクの形式により前記マルチカラートナー画像上にクリアトナーオーバーコートを印加するクリアトナーオーバーコート印刷ステーションと、
前記クリアトナーオーバーコートを有する前記マルチカラー画像にエンハンスされたグロスを提供するベルトグロス装置と、
を有するシステム。
【請求項３】
レシーバ上にマルチカラー画像を形成するシステムであって、
レシーバ上にマルチカラー画像を形成するため、前記レシーバ上の異なるピクセル位置において様々なカラーの組み合わせを形成する少なくとも３色のカラー物質により前記レシーバ上にマルチカラー画像を形成する手段と、
ミッドトーン領域に穏やかなロールオフを有するインバースマスクとして付着されるクリアオーバーコートを前記マルチカラートナー画像上に形成する手段と、
前記マルチカラートナー画像の改良されたグロスを提供するため、ベルトグロス装置において前記クリアトナーオーバーコートを有する前記マルチカラートナー画像に熱と圧力とを印加する手段と、
を有するシステム。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
中央オプチカルゾーン、垂直経線、前記中央オプチカルゾーンを包囲する移行ゾーン、前記移行ゾーンから外方に延びるキャリヤ及び前記キャリヤ中の複数の厚さゾーンを含むトーリックコンタクトレンズ設計であって、
前記複数の厚さゾーンが少なくとも三つの厚さゾーンを含み、前記三つの厚さゾーンの第二の厚さゾーンが垂直経線をはさんで前記レンズ設計の両側で対称であり、第二の厚さゾーン内の角経線それぞれにおいて比較的一貫した厚さ区分があることを特徴とする設計。
【請求項２】
前記三つの厚さゾーンの第一及び第三の厚さゾーンが前記レンズ設計の頂部及び底部にある、請求項１記載の設計。
【請求項３】
第一のゾーンと第二のゾーンとの間の境界が垂直経線から少なくとも１５°である、請求項１記載の設計。
【請求項４】
第三のゾーンと第二のゾーンとの間の境界が垂直経線から少なくとも３０°である、請求項１記載の設計。
【請求項５】
第二のゾーンの厚さプロフィールがその上境界からその下境界まで増大する、請求項１記載の設計。
【請求項６】
第二のゾーンの厚さプロフィールの傾きが漸増したのち上境界から下境界まで減少する、請求項１記載の設計。
【請求項７】
比較的一貫した厚さ区分の幅がゾーン幅の少なくとも３０％である、請求項１記載の設計。
【請求項８】
比較的一貫した厚さ区分における厚さ変化が経線での最大厚さの１０％以下である、請求項１記載の設計。
【請求項９】
第二のゾーンの上境界から下境界までの厚さプロフィールの範囲が０．０６５mm〜０．４５mmである、請求項１記載の設計。
【請求項１０】
請求項１〜９記載のトーリックコンタクトレンズ設計を有するコンタクトレンズ、好ましくはソフトコンタクトレンズ。
【手続補正書】
【提出日】平成21年1月13日(2009.1.13)
【手続補正１】
【補正対象書類名】明細書
【補正対象項目名】００６４
【補正方法】変更
【補正の内容】
【００６４】
例５．液浸条件下でのフォトレジストの像形成
下層（ＬＤＬ１、例３）を２０００rｐｍでケイ素ウェハにスピンコートし、次いで２００℃で６０秒間ベーク処理した後、上層（ＵＤＬ１、例４）を２０００ｒｐｍでスピンコートし、次いで２００℃で６０秒間ベーク処理することによって二層反射防止膜スタックをケイ素ウェハに塗布した。光学指数及び膜厚を表１に示す。光学定数ｎ及びｋ、並びに膜厚は、J. A. Woollam(R) VUV VASE(R)分光エリプソメータで測定した。
【手続補正２】
【補正対象書類名】明細書
【補正対象項目名】００６８
【補正方法】変更
【補正の内容】
【００６８】
例７．慣用のドライ条件でのフォトレジストの像形成
ＤＬ−ＢＡＲＣ及びフォトレジストを例５のようにコーティングした。得られた各フィルムを、Nikon 306D 193nmスキャナーで露光した（ＮＡ＝０．７８，照明，２／３輪帯，６％ハーフトーン型位相シフトレチクル(attenuated phase shift reticle)）。次いで、これらのウェハを１１５℃で９０秒間露光後ベーク処理（ＰＥＢ）した。これらのフィルムを０．２６Ｎ ＴＭＡＨ水溶液中で３０秒間現像した。コーティング、ベーク処理及び現像は、ニコンツールに接続されたTEL(R)ACT 12トラックで行った。KLA8100 CD-SEMを用いてトップダウンＳＥＭ写真を得た。３０ｍＪ／ｃｍ2の露光線量で得られたその９５ｎｍライン／スペースパターンは、定在波を示さず、そしてその像は良好なリソグラフィ品質を有していた。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
長手方向軸線を有する固定システムであって、該固定システムは、
１つ以上のファスナを受入れることができる第一キャリジ要素を有し、該第一キャリジ要素は、少なくとも１つの固定要素が配置された第一チャネルと、少なくとも１つの固定要素が配置された第二一チャネルと、を備え、前記第一チャネルおよび前記第二チャネルは、前記長手方向軸線の両側に形成されており、
第二キャリッジ要素をさらに有し、該第二キャリジ要素は、少なくとも１つの固定要素が配置された第三チャネルと、少なくとも１つの固定要素が配置された第四チャネルと、を備え、前記第三チャネルおよび前記第四チャネルは、前記長手方向軸線の両側に形成されており、
本体部分と、第一アームと、第二アームと、第三アームと、第四アームと、を備えたを第一プレートを更に有し、前記第一アームおよび前記第三アームは、前記長手方向の一方の側で前記本体部分から実質的に横方向に延びており、前記第一アームは第一係合部分を備え、該第一係合部分は、前記第一チャネルの少なくとも１つの固定要素と係合するように構成された一連のリッジを備え、前記第二アームは第二係合部分を備え、該第二係合部分は、前記第二チャネルの少なくとも１つの固定要素と係合するように構成された一連のリッジを備え、前記第三アームは第三係合部分を備え、該第三係合部分は、前記第三チャネルの少なくとも１つの固定要素と係合するように構成された一連のリッジを備え、前記第四アームは第四係合部分を備え、該第四係合部分は、前記第四チャネルの少なくとも１つの固定要素と係合するように構成された一連のリッジを備え、前記固定要素の各々は、２つの弧状プロングと、保持要素とを備える係合クリップを含み、前記弧状プロングの少なくとも一部は、前記それぞれのチャネルに形成された溝に係合し、
前記第一キャリジ要素および前記第二キャリジ要素は、第一プレートに対して軸線方向の一方向のみに並進するように構成されていることを特徴とする固定システム。
【請求項２】
前記第一カートリッジ要素は、手術部位で並進できることを特徴とする請求項１記載の固定システム。
【請求項３】
前記第一キャリジ要素は第一骨セグメントに関連するように構成され、第二キャリジ要素は第二骨セグメントに関連するように構成されていることを特徴とする請求項１記載の固定システム。
【請求項４】
前記第一骨セグメントおよび第二骨セグメントは、互いに隣接する椎骨であることを特徴とする請求項３記載の固定システム。
【請求項５】
前記固定要素は、並進中に拡大および収縮するように構成されていることを特徴とする請求項１記載の固定システム。
【請求項６】
前記リッジは漸次抵抗を付与するように構成されていることを特徴とする請求項１記載の固定システム。
【請求項７】
前記第一キャリジ要素は、骨ファスナを受入れるための少なくとも１つのファスナ孔を有していることを特徴とする請求項１記載の固定システム。
【請求項８】
前記第一プレートおよび前記第一および第二キャリジ要素は、所望の身体部位に所望の身体部位に適合するように湾曲していることを特徴とする請求項１記載の固定システム。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
固定プレートであって、該固定プレートは、
上面、下面、長手方向軸線、および、前記上面から前記下面から延びる細長いスロットを備え、前記細長いスロットは、第一端、第二端、第一側面、第二側面、および、中心線とを含み、前記細長いスロットの第一側面および第二側面にそれぞれ隣接して前記固定装置に形成された第一内方周辺領域および第二内方周辺領域と、前記細長いスロットの第一端に隣接して前記固定プレートに形成された第一盲ボアと、前記細長いスロットの第二端に隣接して前記固定プレートに形成された第二盲ボアとをさらに備え、前記第一盲ボアおよび第二第盲ボアは、前記細長いスロットの中心線と同一線上にあり、
第一端、第二端、および、中間部分を有する弾性要素をさらに備え、前記弾性要素は、前記細長いスロットの少なくとも一部に亘って延びており、前記弾性要素の中間部分は、前記弾性要素が前記第一内方周辺領域および前記第二内方周辺領域の一方に受け入れられる第一状態から、骨スクリュウのヘッドが前記細長いスロット内に少なくとも部分的に挿入されるときに、前記弾性要素が骨スクリュウのヘッドの少なくとも一部の上で延びるように配置される第二状態に撓むことができ、
前記弾性要素の第一端は、前記第一盲ボア内に受け入れられ、前記弾性要素の第二端は、前記第一盲ボア内に受け入れられることを特徴とする固定プレート。
【請求項２】
前記細長いスロットは、少なくとも１つの骨固定要素を、該骨固定要素が、前記細長いスロット内で、前記固定プレートの長手方向軸線と実質的に平行な方向に並進できるように受け入れるように構成されていることを特徴とする請求項１に記載の固定プレート。
【請求項３】
前記骨固定要素は、溝が形成されたヘッド領域と、シャンク領域とを含み、前記弾性要素は、前記骨スクリュウが前記骨スクリュウのヘッドが前記細長いスロット内に少なくとも部分的に挿入されるときに前記骨スクリュウのヘッドに形成された溝内に着座されることを特徴とする請求項２に記載の固定プレート。
【請求項４】
前記弾性要素は、該弾性要素が前記第一状態にあるときに、前記固定プレートの長手方向軸線と実質的に平行であることを特徴とする請求項１、２または３に記載の固定プレート。
【請求項５】
前記弾性要素は、前記第一状態において、実質的に直線状であり、前記弾性要素は、前記第二状態において、湾曲することを特徴とする請求項１、２または３に記載の固定プレート。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
キューにおいて、
少なくとも３つの互いに接着された縦長の円形木材部分から構成される構成材を有し、前記各部分は、縦長の凹面、縦長の凸面、及び弓形の外面を有し、その各部分の凹面は近接する部分の凸面に接する、キュー。
【請求項２】
前記構成材はさらに、第一の端、前記第一の端に相対する第二の端、前記第一の端と前記第二の端の間に配置された縦長の空洞から構成され、前記縦長の空洞は長さが少なくとも１２インチである、請求項１に記載のキュー。
【請求項３】
前記構成材の前記縦長の空洞は、振動吸収材で充填される、請求項２に記載のキュー。
【請求項４】
前記縦長の円形部分は、二つの端点に対し階段状に取り外しが可能な外側の木材によって形成される、請求項１に記載のキュー。
【請求項５】
各部分の木口方向はその近接する部分の木口方向と異なる、請求項１に記載のキュー。
【請求項６】
前記構成材は、互いに接着した６つの縦長の円形部分を含み、それぞれの前記部分は多数の隣接した木材の層で形成され、前記層はキューの縦軸に対して縦方向に配置され、前記部分は縦長の凹面、縦長の凸面、および弓形の外面を有し、その各部分の凹面は近接する部分の凸面に接する、請求項１に記載のキュー。
【請求項７】
各部分の木口方向は、近接する部分の木口方向と異なる、請求項６に記載のキュー。
【請求項８】
キューであって、
シャフトはベース部を有し、前記ベース部から間隔を空けて配置されたタップ側部分、前記タップ側部分に付着されたキュー・チップ、および前記タップ側部分の分裂または拡散を避けるように前記キュー・チップに隣接する前記タップ側部分に付着された先角を有し、前記先角は複数の木材層の束で構成され、前記木材層の木質繊維方向は、前記タップ側部分の縦軸にほぼ垂直である、キュー。
【請求項９】
キューであって、
シャフトはベース部を有し、前記ベース部から間隔を空けて配置されたタップ側部分、前記タップ側部分に付着されたキュー・チップ、および前記タップ側部分の分裂または拡散を避けるように前記キュー・チップに隣接する前記タップ側部分に付着された先角を有し、前記先角は複数の木材層の束で構成され、前記木材層は、各層の木口の木質繊維方向は近接層の木質繊維方向と異なるよう互いに配置される、キュー。
【請求項１０】
前記層は、各層の木質繊維方向が近接する層の木質繊維方向とおよそ４５度異なるよう配置される、請求項９に記載のキュー。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
医療用インプラントの組織結合能力を強化するために前記医療用インプラントを処理する方法であって、
前記医療用インプラントを高エネルギー放射線で照射して、前記医療用インプラントにナノ構造トポグラフィを含む表面を形成させる工程を含む、方法。
【請求項２】
前記高エネルギー放射線は紫外線又はガンマ線である、請求項１に記載の方法。
【請求項３】
前記医療用インプラントは金属製インプラントである、請求項１に記載の方法。
【請求項４】
前記医療用インプラントは、金、白金、タンタル、ニオブ、ニッケル、鉄、クロム、コバルト、ジルコニウム、マグネシウム、アルミニウム、パラジウム、それらから形成された例えばステンレススチールなどの合金、またはそれらの組み合わせを含む、請求項１に記載の方法。
【請求項５】
前記医療用インプラントは、歯科用インプラント、顎骨インプラント、骨用の補修および安定化スクリューおよびピンおよびプレート、脊椎インプラント、大腿骨インプラント、頸骨インプラント、膝関節インプラント、手関節インプラント、人工股関節などの関節インプラント、耳および鼻インプラントなどの顎顔面インプラント、傷害および疾患により生じた症状のための四肢プロテーゼ、ならびにそれらの組み合わせからなる群から選択される、請求項４に記載の方法。
【請求項６】
前記高エネルギー放射線で前記医療用インプラントを照射する工程の前に、前記医療用インプラントの表面の少なくとも一部分を物理的処理または化学的処理によって処理する工程をさらに含む、請求項１のいずれかに記載の方法。
【請求項７】
前記物理的処理は機械加工、サンドブラスト、または金属もしくは非金属蒸着であり、
前記化学的処理は酸エッチング、サンドブラスト、酸化、またはアルカリ処理である、請求項６に記載の方法。
【請求項８】
前記ナノ構造トポグラフィは、ナノスフェア、ナノコーン、ナノピラミッド、またはそれらの組み合わせを含む、請求項１に記載の方法。
【請求項９】
前記ナノ構造トポグラフィは、約１ｎｍ〜約１，０００ｎｍの範囲のサイズであるナノスフェアを含む、請求項１に記載の方法。
【請求項１０】
前記ナノ構造トポグラフィは、約１ｎｍ〜約２００ｎｍの範囲のサイズであるナノスフェアを含む、請求項１に記載の方法。
【請求項１１】
前記ナノ構造トポグラフィは、約１０ｎｍ〜約１００ｎｍの範囲のサイズであるナノスフェアを含む、請求項１に記載の方法。
【請求項１２】
前記ナノ構造トポグラフィは、約１０ｎｍ〜約７０ｎｍの範囲のサイズであるナノスフェアを含む、請求項１に記載の方法。
【請求項１３】
前記医療用インプラントは金属製インプラントである、請求項１に記載の方法。
【請求項１４】
前記医療用インプラントはチタン製インプラントである、請求項１に記載の方法。
【請求項１５】
前記医療用インプラントはジルコニウム製インプラントまたはクロム−コバルト合金製インプラントである、請求項１に記載の方法。
【請求項１６】
前記医療用インプラントは非金属製インプラントである、請求項１に記載の方法。
【請求項１７】
前記医療用インプラントはポリマー製インプラントである、請求項１に記載の方法。
【請求項１８】
前記医療用インプラントは骨セメント材料を含む、請求項１に記載の方法。
【請求項１９】
前記骨セメント材料は、ポリアクリレート、ポリエステル、バイオガラス、セラミック、カルシウムをベースとする材料、リン酸カルシウムをベースとする材料、およびそれらの組み合わせからなる群から選択される材料を含む、請求項１８に記載の方法。
【請求項２０】
前記骨セメント材料は、ポリ（メチルメタクリレート）（ＰＭＭＡ）またはメチルメタクリレート（ＭＭＡ）を含む、請求項１８に記載の方法。
【請求項２１】
前記医療用インプラントは、歯科用インプラント、顎骨インプラント、修理用および安定化スクリュー、骨用のピンおよびプレート、脊椎インプラント、大腿骨インプラント、頸骨インプラント、膝関節インプラント、手関節インプラント、関節インプラント、人工股関節、顎顔面インプラント、耳および鼻インプラント、傷害および疾患により生じた症状のための四肢プロテーゼ、ならびにそれらの組み合わせからなる群から選択される金属製インプラントである、請求項１に記載の方法。
【請求項２２】
前記医療用インプラントは、歯科用インプラント、顎骨インプラント、修理用および安定化スクリュー、骨用のピンおよびプレート、脊椎インプラント、大腿骨インプラント、頸骨インプラント、膝関節インプラント、手関節インプラント、関節インプラント、人工股関節、顎顔面インプラント、耳および鼻インプラント、傷害および疾患の結果として生じた状態のための四肢プロテーゼ、ならびにそれらの組み合わせからなる群から選択される非金属製インプラントである、請求項１に記載の方法。
【請求項２３】
前記医療用インプラントは、歯科用インプラント、顎骨インプラント、骨用の補修および安定化スクリューおよびピンおよびプレート、脊椎インプラント、大腿骨インプラント、頸骨インプラント、膝関節インプラント、手関節インプラント、関節インプラント、人工股関節、顎顔面インプラント、耳および鼻インプラント、傷害および疾患により生じた症状のための四肢プロテーゼ、ならびにそれらの組み合わせからなる群から選択される、請求項１８に記載の方法。
【請求項２４】
前記医療用インプラントは、チタン製インプラント、ジルコニウム製インプラントまたはクロム−コバルト合金製インプラントである、請求項２１に記載の方法。
【請求項２５】
請求項１〜２４のいずれかに記載の方法で処理された医療用インプラント。
【請求項２６】
機械加工された表面、酸エッチングされた表面、蒸着表面、サンドブラスト処理された表面、酸化表面、またはそれらの組み合わせを含む表面を含む、請求項２５に記載の医療用インプラント。
【手続補正２】
【補正対象書類名】明細書
【補正対象項目名】００１８
【補正方法】変更
【補正の内容】
【００１８】
本明細書に記載した医療用インプラントには、チタン製インプラントおよび非チタン製インプラントが含まれる。チタン製インプラントには、チタンもしくはチタンを含む合金から製造された歯牙もしくは骨代替物が含まれる。チタン製骨代替物には、例えば、膝関節および股関節プロテーゼ、大腿骨頸代替物、脊椎代替物および修復部品、頸骨代替物および修復部品、顎骨修復部品、固定および強化用、移植骨の固定用、および他の四肢プロテーゼが含まれる。非チタン金属製インプラントには、金、白金、タンタル、ニオビウム、ニッケル、鉄、クロム、コバルト、マグネシウム、アルミニウム、パラジウム、ジルコニウム、クロム−コバルト合金、例えばステンレススチールなどのそれらから形成された合金、またはそれらの組み合わせから作製された歯牙もしくは骨インプラントが含まれる。一部の実施形態では、金属製インプラントは、詳細には上記の物質のいずれかを除外できる。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
ループ布帛と係合するファスナ（１４）であって、複数の係合突起（１３）のある前面（２０）を有するベース（４）を備え、前記係合突起の少なくとも幾つかが、前記突起を取り囲む縁部角度を形成する上面端部と、付着端部と、前記上面端縁部から前記付着端部まで延在するマントル面とを有し、前記マントル面（２８）の側面図の少なくとも１つの輪郭線が、上面縁部から前記付着端部まで厳密に凸状である、ファスナ（１４）。
【請求項２】
前記少なくとも幾つかの係合突起上面端部が、構造化されている、請求項１に記載のループ布帛と係合するファスナ（１４）。
【請求項３】
前記少なくとも幾つかの係合突起が第１の材料で形成され、前記ベースの前面が前記第１の材料とはある特性が異なる第２の材料で形成されている、請求項１または２に記載のループ布帛と係合するファスナ（１４）。
【請求項４】
前記係合突起が、少なくとも２種類の異なる粒子で形成されている、請求項１〜３のいずれか一項に記載のループ布帛と係合するファスナ（１４）。
【請求項５】
・複数の好適なポリマー粒子を提供する工程、
・前面を有するベースを提供する工程、
・好適な表面エネルギーの接触離型面を提供する工程、
・前記接触離型面上に前記複数のポリマー粒子を分散させ、それによって、前記接触離型面に着座し且つ前記接触離型面から対応する末端部まで突出する別々の予備形成突起を形成する工程、
・好適な粘度の少なくとも半液状で前記接触離型面上に分散されるポリマー粒子を提供し、前記粒子の少なくとも幾つかが、前記ポリマー粒子の表面エネルギーと前記接触離型面の表面エネルギーに影響される接触縁部を有する予備形成突起に変化するのに十分な時間、前記接触離型面と接触する工程、
・前記ベースの前面を前記予備形成突起の少なくとも幾つかの末端部と接触させ、固定する工程、
・前記ベースを取り外し、それによって、前記ベースに固定されている前記予備形成突起を前記離型面から分離させる工程、および
・それによって、前記ベースの前面から突出する係合突起を形成する工程、
を含む、ファスナの形成方法。
【請求項６】
身体側ライナーと、少なくとも一部不織布で形成された外面とを備える使い捨ておむつ（１０）であって、少なくとも１つの側部に請求項１〜５のいずれか一項に記載の雄メカニカルファスナが提供されているおむつ。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
椎間関節増大アセンブリであって、
椎骨の上関節突起及び隣接するより頭部寄りの椎骨の対応する下関節突起の間の第１の椎間関節内に挿入される椎間関節のスペーサーと、該椎間関節のスペーサーは椎間関節を越えて延びる尾部を有することと、該尾部は、椎間関節のスペーサーの長手軸を横断して延びる予め形成された孔を有することと、
第１の端部を有する椎間安定化バンドと、該第１の端部は該椎間安定化バンドの長手軸
を横断して延びる予め形成された孔を有することと、
第１のアンカー手段と、該第１のアンカー手段の少なくとも一部は、椎間安定化バンド内に予め形成された孔及び椎間関節のスペーサーの尾部内に予め形成された孔を通過して、両者を第１の椎骨に係留することと、
椎骨に係留される第２のアンカー手段と、該第２のアンカー手段は椎間安定化バンドの一部を包囲する孔を有することと、
第２のアンカー手段に隣接して配置される保持具と、椎間安定化バンドの一部は、該保持具を通過することと、該椎間安定化バンドが保持具により第２のアンカー手段の孔を介して第１のアンカー手段に向かって移動できないように保持具が調整されていることと、該保持具は第２のアンカー手段内の孔に関する寸法とされて、保持具は第２のアンカー手段内の孔を通過できないこととを特徴とする椎間関節増大アセンブリ。
【請求項２】
前記椎間関節のスペーサーの案内端部は、椎間関節内への挿入を容易にするためにアール状をなすことを特徴とする請求項１に記載の椎間関節のスペーサー。
【請求項３】
前記椎間関節の移植部位は、椎間関節のスペーサーの移植部位の椎間関節内への挿入に対する抵抗を減少させるために、低い摩擦係数を有する材料により形成されることを特徴とする請求項１に記載の椎間関節のスペーサー。
【請求項４】
前記椎間関節のスペーサーの移植部位は、椎骨上の上関節突起及び隣接するより頭部寄りの椎骨上の下関節突起の間における空間の形状に順応するよう調整される材料により形成されていることを特徴とする請求項１に記載の椎間関節のスペーサー。
【請求項５】
前記椎間関節のスペーサーは、一つの椎骨上の上関節突起及び隣接するより頭部寄りの椎骨上の対応する下関節突起の相対角度を上昇できるように、くさび形であることを特徴とする請求項１に記載の椎間関節のスペーサー。